【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
第一の電子写真画像形成装置本体と、前記第一の電子写真画像形成装置本体とは機能が異なる第二の電子写真画像形成装置本体とに着脱可能なプロセスカートリッジであって、
（ａ）電子写真感光体と、
（ｂ）前記電子写真感光体に形成された静電潜像を現像するための現像ローラと、
（ｃ）前記現像ローラによって、前記静電潜像を現像するために用いられる現像剤を収納する現像剤収納部と、
（ｄ）前記現像ローラの長手方向に沿って配置されており、一端がカートリッジフレームから露出している第一の導電性部材と、ここで、前記プロセスカートリッジが前記第一の電子写真画像形成装置本体に装着された際に、前記一端は前記第一の電子写真画像形成装置本体に設けられた第一本体接点と電気的に接続する、そして、前記プロセスカートリッジが前記第一の電子写真画像形成装置本体に装着されたことを報知するための電気信号を発生する、また、前記プロセスカートリッジが前記第二の電子写真画像形成装置本体に装着された際に、前記一端は前記第二の電子写真画像形成装置本体の内部とは電気的に接続しない、
（ｅ）前記現像ローラの長手方向に沿って配置されており、前記カートリッジフレームから露出しているカートリッジ電気接点と電気的に接続している第二の導電性部材と、ここで、前記プロセスカートリッジが前記第二の電子写真画像形成装置本体に装着された際に、前記カートリッジ電気接点は前記第二の電子写真画像形成装置本体に設けられた第二本体接点と電気的に接続する、そして、前記現像剤の残量を前記第二の電子写真画像形成装置本体が逐次に検出するための電気信号を発生する、また、前記プロセスカートリッジが前記第一の電子写真画像形成装置本体に装着された際に、前記カートリッジ電気接点は前記第一の電子写真画像形成装置本体の内部とは電気的に接続しない、
を有することを特徴とするプロセスカートリッジ。
【請求項２】
前記第一の導電性部材が発生する前記電気信号は、前記第一の導電性部材と前記現像ローラとの間で生じた静電容量に応じた電気信号であることを特徴とする請求項１に記載のプロセスカートリッジ。
【請求項３】
更に、前記第一の導電性部材は、前記現像剤の残量が所定の残量に達したことを前記第一の電子写真画像形成装置本体が検出するための電気信号を発生することを特徴とする請求項１または請求項２に記載のプロセスカートリッジ。
【請求項４】
前記第二の導電性部材が発生する前記電気信号は、前記第二の導電性部材と前記現像ローラとの間で生じた静電容量に応じた電気信号であることを特徴とする請求項１から請求項３のいずれか１つに記載のプロセスカートリッジ。
【請求項５】
前記第一の導電性部材の第一本体接点と接続する一端と、
前記第二の導電性部材と接続されているカートリッジ電気接点とは、
互いにカートリッジの異なる面に設けられていることを特徴とする請求項１から請求項４のいずれか１つに記載のプロセスカートリッジ。
【請求項６】
前記プロセスカートリッジが前記第一又は第二の電子写真画像形成装置本体に装着された際に、
前記一端は、カートリッジ下面に位置するように、
前記カートリッジ電気接点は、カートリッジ側面に位置するように配置されていることを特徴とする請求項５に記載のプロセスカートリッジ。
【請求項７】
プロセスカートリッジを用いて、記録媒体に画像を形成するための電子写真画像形成システムにおいて、
電子写真感光体と、
前記電子写真感光体に形成された静電潜像を現像するための現像ローラと、
前記現像ローラによって、前記静電潜像を現像するために用いられる現像剤を収納する現像剤収納部と、
前記現像ローラの長手方向に沿って配置されており、一端がカートリッジフレームから露出している第一の導電性部材と、ここで、前記プロセスカートリッジが前記第一の電子写真画像形成装置本体に装着された際に、前記一端は前記第一の電子写真画像形成装置本体に設けられた第一本体接点と電気的に接続する、そして、前記プロセスカートリッジが前記第一の電子写真画像形成装置本体に装着されたことを報知するための電気信号を発生する、また、前記プロセスカートリッジが前記第二の電子写真画像形成装置本体に装着された際に、前記一端は前記第二の電子写真画像形成装置本体の内部とは電気的に接続しない、
前記現像ローラの長手方向に沿って配置されており、前記カートリッジフレームから露出しているカートリッジ電気接点と電気的に接続している第二の導電性部材と、ここで、前記プロセスカートリッジが前記第二の電子写真画像形成装置本体に装着された際に、前記カートリッジ電気接点は前記第二の電子写真画像形成装置本体に設けられた第二本体接点と電気的に接続する、そして、前記現像剤の残量を前記第二の電子写真画像形成装置本体が逐次に検出するための電気信号を発生する、また、前記プロセスカートリッジが前記第一の電子写真画像形成装置本体に装着された際に、前記カートリッジ電気接点は前記第一の電子写真画像形成装置本体の内部とは電気的に接続しない、
を有するプロセスカートリッジを前記第一の電子写真画像形成装置と、前記第二の電子写真画像形成装置とに選択的に装着して、前記記録媒体に画像を形成することを特徴とする電子写真画像形成システム。
【請求項８】
前記第一の導電性部材が発生する前記電気信号は、前記第一の導電性部材と前記現像ローラとの間で生じた静電容量に応じた電気信号であることを特徴とする請求項７に記載の電子写真画像形成システム。
【請求項９】
更に、前記第一の導電性部材は、前記現像剤の残量が所定の残量に達したことを前記第一の電子写真画像形成装置本体が検出するための電気信号を発生することを特徴とする請求項７または請求項８に記載の電子写真画像形成システム。
【請求項１０】
前記第二の導電性部材が発生する前記電気信号は、前記第二の導電性部材と前記現像ローラとの間で生じた静電容量に応じた電気信号であることを特徴とする請求項７から請求項９のいずれか１つに記載の電子写真画像形成システム。
【手続補正２】
【補正対象書類名】明細書
【補正対象項目名】００１１
【補正方法】変更
【補正の内容】
【００１１】
また、本出願に係る第７の発明は、プロセスカートリッジを用いて、記録媒体に画像を形成するための電子写真画像形成システムにおいて、電子写真感光体と、前記電子写真感光体に形成された静電潜像を現像するための現像ローラと、前記現像ローラによって、前記静電潜像を現像するために用いられる現像剤を収納する現像剤収納部と、前記現像ローラの長手方向に沿って配置されており、一端がカートリッジフレームから露出している第一の導電性部材と、ここで、前記プロセスカートリッジが前記第一の電子写真画像形成装置本体に装着された際に、前記一端は前記第一の電子写真画像形成装置本体に設けられた第一本体接点と電気的に接続する、そして、前記プロセスカートリッジが前記第一の電子写真画像形成装置本体に装着されたことを報知するための電気信号を発生する、また、前記プロセスカートリッジが前記第二の電子写真画像形成装置本体に装着された際に、前記一端は前記第二の電子写真画像形成装置本体の内部とは電気的に接続しない、前記現像ローラの長手方向に沿って配置されており、前記カートリッジフレームから露出しているカートリッジ電気接点と電気的に接続している第二の導電性部材と、ここで、前記プロセスカートリッジが前記第二の電子写真画像形成装置本体に装着された際に、前記カートリッジ電気接点は前記第二の電子写真画像形成装置本体に設けられた第二本体接点と電気的に接続する、そして、前記現像剤の残量を前記第二の電子写真画像形成装置本体が逐次に検出するための電気信号を発生する、また、前記プロセスカートリッジが前記第一の電子写真画像形成装置本体に装着された際に、前記カートリッジ電気接点は前記第一の電子写真画像形成装置本体の内部とは電気的に接続しない、を有するプロセスカートリッジを前記第一の電子写真画像形成装置と、前記第二の電子写真画像形成装置とに選択的に装着して、前記記録媒体に画像を形成することを特徴とする電子写真画像形成システムである。